(57)【特許請求の範囲】
【請求項１】
炊飯器本体と、蓋体と、加熱手段と、操作部と、前記操作部を覆う開閉自在のパネル部材と、を有する電気炊飯器であって、
前記パネル部材は、外方に位置する透明樹脂と、中間に位置するシートと、内方に位置する不透明樹脂との３層構造であり、
前記シートには、前記透明樹脂を通して目視可能な文字が印字されるとともに、前記シートと前記不透明樹脂との間には、内部空間が形成され、
前記操作部には、複数の第１スイッチボタンと、複数の表示手段を有し、
前記パネル部材には、前記第１スイッチボタンより少ない数の第２スイッチボタンを有し、
前記パネル部材の閉時、前記第１スイッチボタンの一部は、前記第２スイッチボタンを介して操作可能であることを特徴とする電気炊飯器。
【請求項２】
炊飯器本体と、蓋体と、加熱手段と、操作部と、前記操作部を覆う開閉自在のパネル部材と、を有する電気炊飯器であって、
前記パネル部材は、外方に位置する透明樹脂と、中間に位置するシートと、内方に位置する不透明樹脂との３層構造であり、
前記シートには、前記透明樹脂を通して目視可能な文字が印字されるとともに、前記シートと前記不透明樹脂との間には、内部空間が形成され、
前記操作部には、複数の第１スイッチボタンと、複数の表示手段を有し、
前記パネル部材には、前記第１スイッチボタンより少ない数の第２スイッチボタンを有し、
前記パネル部材の閉時、前記表示手段の少なくとも１つは、前記パネル部材を通して視認可能であることを特徴とする電気炊飯器。
【請求項３】
前記操作部は、前記炊飯器本体の外郭より窪んだ箇所に設けられることを特徴とする請求項１または請求項２に記載の電気炊飯器。
【発明の詳細な説明】
【技術分野】
【０００１】
本願発明は、特に操作部にパネル部材を設けた電気炊飯器に関するものである。
【背景技術】
【０００２】
一般に電気炊飯器は、内鍋内に水及び米等を入れ、内鍋の下方に設ける加熱手段により炊飯を行なうものであり、各種スイッチボタンと、液晶表示部及び各種表示ランプからなる複数の表示手段を有する操作部が設けられる。
【０００３】
図１６に炊飯器の一例を示す。炊飯器１は、炊飯器本体２及び蓋体３を有する。そして、炊飯器本体２には、図示しない内鍋、内鍋を加熱するための加熱手段、加熱手段を操作するための操作部４等が設けられている。
【０００４】
この操作部４は、炊飯器本体２の前面に設けられており、この操作部４に設けられる各種スイッチボタン４ａ・・・を操作することにより各種調理が行われる（特許文献１参照）。また、この操作部４を蓋体３に設けるものも知られている。
【０００５】
ところで、操作部４を炊飯器本体２の前面に設けると水やおねばが操作部４に付着し、表示手段が見えにくくなる。また、近時、操作部４に各種メニューに対応した調理時間等を表記するものがあるが、このような表記が行われている操作部４は見映えがよいとはいえない。更に、全てのスイッチボタン４ａが外部に露出した状態にあると、調理時に時間或いはメニュー等を設定するスイッチボタンの誤操作がなされる恐れが生じる。
【先行技術文献】
【特許文献】
【０００６】
【特許文献１】特開２０１１−１６０９６０号公報
【発明の概要】
【発明が解決しようとする課題】
【０００７】
本願発明の目的は、操作部の前面に開閉式で、且つ使用頻度の高いスイッチボタンを搭載したパネル部材を設けることにより、操作部が水やおねばで汚れないようにすること。または、外観の見映えを向上すること。更には、ユーザーによる誤操作を防止することである。
【課題を解決するための手段】
【０００８】
前記目的を達成するため、本発明は以下の構成を採用する。
【０００９】
本願発明は、炊飯器本体と、蓋体と、加熱手段と、操作部と、前記操作部を覆う開閉自在のパネル部材と、を有する電気炊飯器であって、前記パネル部材は、外方に位置する透明樹脂と、中間に位置するシートと、内方に位置する不透明樹脂との３層構造であり、前記シートには、前記透明樹脂を通して目視可能な文字が印字されるとともに、前記シートと前記不透明樹脂との間には、内部空間が形成され、前記操作部には、複数の第１スイッチボタンと、複数の表示手段を有し、前記パネル部材には、前記第１スイッチボタンより少ない数の第２スイッチボタンを有し、前記パネル部材の閉時、前記第１スイッチボタンの一部は、前記第２スイッチボタンを介して操作可能である構成。
【００１０】
また、本願発明は、炊飯器本体と、蓋体と、加熱手段と、操作部と、前記操作部を覆う開閉自在のパネル部材と、を有する電気炊飯器であって、前記パネル部材は、外方に位置する透明樹脂と、中間に位置するシートと、内方に位置する不透明樹脂との３層構造であり、前記シートには、前記透明樹脂を通して目視可能な文字が印字されるとともに、前記シートと前記不透明樹脂との間には、内部空間が形成され、前記操作部には、複数の第１スイッチボタンと、複数の表示手段を有し、前記パネル部材には、前記第１スイッチボタンより少ない数の第２スイッチボタンを有し、前記パネル部材の閉時、前記表示手段の少なくとも１つは、前記パネル部材を通して視認可能である構成。
【００１１】
また、本願発明は、前記操作部は、前記炊飯器本体の外郭より窪んだ箇所に設けられる構成。
【発明の効果】
【００１２】
本願発明は、操作部に、複数の第１スイッチボタンと複数の表示手段を設け、パネル部材に、第１スイッチボタンより少ない数の第２スイッチボタンを設け、パネル部材の閉時、第１スイッチボタンの一部を、第２スイッチボタンを介して操作可能にすることにより、水やおねばが操作部に付着して表示手段が見えにくくなる弊害を防止できる。また、操作部をパネル部材により閉蓋するため、操作部に各種メニューに対応した調理時間等を自由に表示することができ、パネル部材を閉じることにより外観の見映えをよくできるとともに、外観のデザインの自由度を高めることができる。更に、パネル部材には使用頻度の高く且つ数の少ないスイッチボタンしか配置しないため、調理時に使用頻度の低い、例えば時間またはメニュースイッチボタンが誤って押されることによるスイッチボタンの誤操作を低減できる。
【００１３】
また、本願発明は、パネル部材の閉時、表示手段の少なくとも１つを、パネル部材を通して視認可能にすることにより、例え、パネル部材を閉じていても表示を正確に確認できる。
【００１４】
また、本願発明は、操作部を炊飯器本体の外郭より窪んだ箇所に設けることにより、パネル部材の開閉状態にかかわらず水やおねばが操作部に付着する弊害を防止できる。
【図面の簡単な説明】
【００１５】
【図１】パネル部材を開放した電気炊飯器の斜視図
【図２】図１の一部拡大断面図
【図３】パネル部材を閉鎖して蓋体を開蓋した電気炊飯器の斜視図
【図４】パネル部材の正面図
【図５】パネル部材の背面図
【図６】操作パネルの正面図
【図７】電気炊飯器のシャモジ立てを取付ける状態を示す電気炊飯器の斜視図
【図８】（Ａ）は蓋体裏面の係合手段を示す斜視図、（Ｂ）は炊飯器本体上面の係合手段を示す斜視図
【図９】蓋体閉蓋時のプッシュボタンの一部をカットした状態の係合手段の斜視図
【図１０】蓋体閉蓋時の図１のＡ−Ａ線の概略断面図
【図１１】蓋体閉蓋時の図１のＢ−Ｂ線の概略断面図
【図１２】蓋体開蓋動作時のプッシュボタンの一部をカットした状態の係合手段の斜視図
【図１３】蓋体開蓋動作時の図１のＡ−Ａ線の概略断面図
【図１４】蓋体開蓋動作時の図１のＢ−Ｂ線の概略断面図
【図１５】係合手段の部品の斜視図
【図１６】従来の電気炊飯器の正面図
【実施例】
【００１６】
図１及び図２はパネル部材を開放した電気炊飯器の斜視図及び一部断面図であり、図３に蓋体を開蓋した斜視図を示し、図４及び図５にパネル部材を示し、図６に操作パネルを示し、図８ないし図１５に蓋体と炊飯器本体の係合手段を示す。なお、操作部側を前方とし、それと反対側のヒンジ部側を後方とする。
【００１７】
電気炊飯器１０は、炊飯器本体１１及び蓋体１２から構成される。炊飯器本体１１は、内鍋１３をセット可能な有底筒状の内ケース１４と、外装筐体である合成樹脂製の外ケース１５と、肩部材１６を有し、それぞれはビス或いは無理嵌め等により結合される。
【００１８】
前記内ケース１４の底部には、加熱手段である熱板式のヒーター１７が設けられ、更に側部には主に保温で用いる加熱手段である保温ヒーター１８が設けられ、それぞれ公知の制御装置により適正な炊飯及び保温制御が行われる。なお、ヒーター１７及び保温ヒーター１８による加熱方式はＩＨ式及び高周波式等であってもよい。また、図２では内鍋１３の上部に蒸し具１９をセットしたものを示している。
【００１９】
前記蓋体１２は、合成樹脂製の蓋板２１と、蓋体１２の下面にビス止めされる熱良導体からなる放熱板２２を有し、蓋板２１と放熱板２２との間には、中空部２３が形成され必要に応じ断熱材が挿入される。また、放熱板２２の外周端には環状のシール材２４が設けられており、蓋体１２の閉蓋時、シール材２４が内鍋１３の上端部に当接し、蒸気等の外部への逃げを防止する。なお、放熱板２２の外側には、内鍋１３に対向して複数の穴を有する内蓋２５が設けられる。
【００２０】
前記蓋板２１の中央部には、蓋板２１に対し着脱自在な筒状体２６が設けられており、内鍋１３内の蒸気圧が所定以上になると蒸気は、筒状体２６介して蒸気口２７から大気に排出される。
【００２１】
また、蓋体１２の前方側の上面には、下方に向かって押圧可能で蓋体１２を開蓋するためのプッシュボタン２９が設けられ、更に、蓋体１２の後端部には、蓋体１２を開閉自在にするヒンジ部２８（図３参照）が設けられており、蓋体１２を炊飯器本体１１に対し開閉自在にしている。
【００２２】
前記炊飯器本体１１の外ケース１５の前面側には操作部である矩形状の操作パネル３０が設けられる。該操作パネル３０には、図６に示すように、第１のスイッチボタンである各種の操作スイッチボタン３１、即ち、炊飯スイッチボタン３１ａ、保温・取消スイッチボタン３１ｂ、予約を設定する予約スイッチボタン３１ｃ、時間を設定する時分スイッチボタン３１ｄ、エコ炊飯、白米、早炊き、炊込み等の各種メニューを設定するメニュースイッチボタン３１ｅが設けられる。
【００２３】
更に、操作パネル３０には、１個の液晶表示部３２と、ＬＥＤ等からなる３個のランプ、即ち、炊飯ランプ３１ａａ、保温ランプ３１ｂｂ及び予約ランプ３１ｃｃからなる表示手段が設けられるとともに、各種の調理時間３３が最下段に表記されている。
【００２４】
前記調理時間３３は、よく知られた料理の調理時間を表示するもので、ユーザーはその調理時間を参考にして調理時間を、時分スイッチボタン３１ｄで設定して調理を行うことができる。なお、操作パネル３０の裏面側には、各種スイッチボタン３１及び液晶表示部３２等が取り付けられるマイコン基板３４が設けられる。
【００２５】
そして、炊飯スイッチボタン３１ａが押されると、メニュースイッチボタン３１ｅで選択されたエコ炊飯或いは白米等の炊飯が行われ、炊飯ランプ３１ａａが点灯する。なお、既に選択されているメニューを変更しない場合には、既に選択されたメニュー炊飯が実行される。
【００２６】
また、保温・取消スイッチボタン３１ｂが押されて保温或いは取消の何れかが選定されると、選定された項目が実行される。そして保温が押されると保温が実行され、保温ランプ３１ｂｂが点灯する。
【００２７】
また、予約スイッチボタン３１ｃが押されると、時分スイッチボタン３１ｄで予約時間を設定することができるため、所定の予約時間を選択する。そして予約スイッチボタン３１ｃが押されると予約ランプ３１ｃｃが点灯する。なお、既に選択されている予約時間を変更しない場合には、既に選択された予約時間が設定される。前記した炊飯スイッチボタン３１ａ、保温・取消スイッチボタン３１ｂ及び予約スイッチボタン３１ｃは、比較的頻繁に使用するスイッチボタンである。
【００２８】
操作部である操作パネル３０は、炊飯器本体１１の外郭より窪んだ箇所に設けられる。即ち、外ケース１５の前面には、後方へ凹んだ矩形状の窪み３５が形成されており、前記操作パネル３０は、この窪み３５の外ケース１５の前面から後方に凹んだ箇所に略垂直状に配設される。その取付けは、その上端が後方側に傾いた状態、即ち床面Ｆに対して鋭角に取付けられる。このように操作パネル３０を傾斜させることにより、ユーザーの視認性が向上する。
【００２９】
操作パネル３０を外ケース１５の前面より後方側に配置することにより、窪み３５の上端はひさし状になり、万一吹きこぼれても水或いはおねば等が直接操作パネル３０に垂れることはない。また、操作パネル３０の上方にはパネル部材４０を固着するための磁石３６（図６参照）が取付けられる。
【００３０】
操作パネル３０の前方側には、操作パネル３０をカバーする形態でパネルカバーであるパネル部材４０が設けられる。このパネル部材４０は、矩形状の窪み３５より若干小さい矩形状の部品であり、閉鎖時には窪み３５内に入り込み、図３に示すように、外ケース１５の前面側の外郭を形成する。そして、その上面は、操作パネル３０の上面と面一になり、蓋体１２の開蓋時にその上面の外観をスッキリさせ、見映えをよくする。
【００３１】
パネル部材４０は、外方から内方に向って配設される透明樹脂４０ａ、シート４０ｂ及び不透明樹脂４０ｃの３層構造（図２参照）であり、シート４０ｂと不透明樹脂４０ｃとの間には、複数の内部空間４１が形成されており、操作パネル３０を断熱する。
【００３２】
前記透明樹脂４０ａは、外郭を形成する部分であり、第２スイッチボタン４２である第２炊飯スイッチボタン４２ａ、第２保温・取消スイッチボタン４２ｂ及び第２予約スイッチボタン４２ｃが貫通する３個の貫通穴４３が設けられるとともに、表示手段からの光を透過する。なお、第２炊飯スイッチボタン４２ａ、第２保温・取消スイッチボタン４２ｂ及び第２予約スイッチボタン４２ｃは、同形で、外方に突出する部分は矩形状（図４参照）で、内方に突出する部分は円形状（図５参照）である。
【００３３】
前記シート４０ｂには、必要な文字が印字され（図４参照）、透明樹脂４０ａを通して目視可能である。また、後記する不透明樹脂４０ｃと同様に、第２炊飯スイッチボタン４２ａ、第２保温・取消スイッチボタン４２ｂ及び第２予約スイッチボタン４２ｃが貫通する図示しない３個の穴と、炊飯ランプ３１ａａ、保温ランプ３１ｂｂ及び予約ランプ３１ｃｃからの光が通過するための図示しない３個の貫通穴と、液晶表示部３２からの光が通過するための図示しない１個の矩形状穴が設けられる。
【００３４】
前記不透明樹脂４０ｃには、第２炊飯スイッチボタン４２ａ、第２保温・取消スイッチボタン４２ｂ及び第２予約スイッチボタン４２ｃが貫通する３個の貫通穴４４と、炊飯ランプ３１ａａ、保温ランプ３１ｂｂ及び予約ランプ３１ｃｃからの光が通過するための３個の貫通穴４５と、液晶表示部３２からの光が通過するための１個の矩形状穴４６が設けられる。
【００３５】
そして、第２炊飯スイッチボタン４２ａ、第２保温・取消スイッチボタン４２ｂ、第２予約スイッチボタン４２ｃは、不透明樹脂４０ｃ内に図示しないバネを含めてユニット状に組み込まれており、通常時、その矩形状の先端は、透明樹脂４０ａより外方に飛び出している。そして、ユーザーにより矩形状の先端が押圧されると内方に押し込まれ、対向する炊飯スイッチボタン３１ａ、保温・取消スイッチボタン３１ｂ或いは予約スイッチボタン３１ｃが押されることになる。ユーザーが押圧を解除すると、バネの力で押圧前の位置に戻る。
【００３６】
前記パネル部材４０の裏面側の下方には、左右方向に張り出した２個の回転軸４７が設けられる（図５参照）。これら２個の回転軸４７は、操作パネル３０の下方に設けられる２個の軸受部４８（図２参照）のそれぞれに嵌合される。回転軸４７が軸受部４８に嵌合されるとパネル部材４０は、その下方の回転軸４７を中心にして回転自在に軸支され、閉鎖状態では、操作パネル３０を完全にカバーする（図３参照）。なお、回転軸４７と軸受部４８とは逆の配置形態でもよい。
【００３７】
パネル部材４０の裏面側の上方には、磁石４９（図４、５参照）が取り付けられており、パネル部材４０が閉鎖されると、磁石４９は、操作パネル３０の磁石３６に吸着し、パネル部材４０を閉鎖位置に固定する。パネル部材４０の両側面の上方には、それぞれ取手用凹部５０が形成されており、パネル部材４０を開放する際には、この取手用凹部５０に指を掛けて手前に引いてパネル部材４０を開放することになる。なお、固定手段は、磁石以外であってもよい。
【００３８】
パネル部材４０の閉鎖時には、パネル部材４０が床面Ｆに対して直角か、或いは操作パネル３０に平行になるようにする。そのためパネル部材４０を閉鎖するとパネル部材４０と操作パネル３０とで二重パネル構造が形成される。更に、パネル部材４０と操作パネル３０との間には隙間が生じるため、この隙間とパネル部材４０内の内部空間４１とで二重断熱空間が形成され、断熱効果がより高まる。
【００３９】
また、パネル部材４０の開放時には、パネル部材４０は操作パネル３０に対して９０度以上になる、即ち、パネル部材４０の開閉角度は９０度以上とする。すると図２に示すようにパネル部材４０が床面Ｆに対して傾斜状態になる。ところで、パネル部材４０の開放時にパネル部材４０が床面Ｆに平行であると、その上に物を載せる場合が生じる。そして物を載せるとパネル部材４０が壊れたり、或いは炊飯器本体１１が棚から落ちる危険が生じる。しかし、パネル部材４０を上記のように傾斜状態になるようにすると、その上に物を載せると物が滑り落ちるため、その上に物を載せなくなり、その結果、その上に物を載せることにより発生する弊害をなくすことができる。
【００４０】
パネル部材４０が閉鎖されると、パネル部材４０の矩形状穴４６が液晶表示部３２に対向し、３個の貫通穴４５が炊飯ランプ３１ａａ、保温ランプ３１ｂｂ及び予約ランプ３１ｃｃに対向するため、パネル部材４０を通して液晶表示部３２の表示、並びに炊飯ランプ３１ａａ、保温ランプ３１ｂｂ及び予約ランプ３１ｃｃのオンオフを視認することができる。なお、パネル部材４０を通して表示できる表示手段の数は、少なくしてもよい。
【００４１】
パネル部材４０の閉鎖時では、パネル部材４０には、操作パネル３０に設けられるスイッチボタンより少ない数のスイッチボタンしか設けられていない。即ち、比較的頻繁に使用される操作パネル３０に設けられる炊飯スイッチボタン３１ａ、保温・取消スイッチボタン３１ｂ及び予約スイッチボタン３１ｃに対向する第２炊飯スイッチボタン４２ａ、第２保温・取消スイッチボタン４２ｂ及び第２予約スイッチボタン４２ｃであり、操作パネル３０に表記される調理時間３３は隠れることになる。
【００４２】
その結果、パネル部材４０の外表面が簡素でスッキリした状態になり、操作系の外観をシンプルにし、スッキリと見せることができる。なお、パネル部材４０の閉時には調理時間３３は隠れることになるため、操作パネル３０により多くの情報を表記できるようになる。また、上記したように、パネル部材４０には、比較的頻繁に使用されるスイッチボタンしか配置されていないため、例えば間違って時分スイッチボタン３１ｄ或いはメニュースイッチボタン３１ｅが押されて誤炊飯が行われる弊害を防止することができる。
【００４３】
図７にシャモジ立て５１を取付ける状態を示す。シャモジ立て５１は、図示しないシャモジを垂直に挟み込むための上下開口５１ａａを有する本体部５１ａと、差込部５１ｂを有し、差込部５１ｂを炊飯器本体１１の底部に設ける開孔５２に差し込み、差込部５１ｂに設けられるビス穴５１ｃにビスを挿入して炊飯器本体１１内に固定する。
【００４４】
シャモジ立て５１を取付けると図１に示すようになり本体部５１ａの上下開口５１ａａに図示しないシャモジを挿入する。なお、シャモジ立て５１をこのような形態で形成することにより、簡単な構造のシャモジ立て５１を形成することができる。また、開孔５２を大きめに形成し、熱を逃がすための穴、或いはブザー音出しの穴として併用することができる。
【００４５】
ところで、上記した電気炊飯器１０は、炊飯器本体１１の全面に比較的大きな矩形状の操作パネル３０を設けているため、蓋体１２にプッシュボタン２９等からなる蓋開閉機構Ｈを設けており、以下においては、この蓋開閉機構Ｈについて説明する。
【００４６】
蓋体１２の上面に開閉用のプッシュボタン２９を設けるものは、蓋体１２を開蓋する際にプッシュボタン２９を押し込むので、蓋体１２が開く前に係合レバー５７先端の係止爪５７ｄが炊飯器本体１１側の蓋用係止部５８に再ロックし、蓋体１２が開かないことがある。このような再ロックを防止するために例えば、特開２０００−１４５３８号公報に示すように、邪魔板を設けるものがある。しかしながら、そのようなものは、係合レバー５７で邪魔板を押すので開閉がスムーズに行われない。
【００４７】
そのため、プッシュボタン２９により押し下げられる係合レバー５７と併設して、シャッター６５を上下動するシャッター用レバー６０を設け、プッシュボタン２９の下動時、シャッター６５を上動させるとともに、係合レバー５７の係止爪５７ｄと炊飯器本体１１の蓋用係止部５８との係合を解除し、解除後にシャッター６５が蓋用係止部５８に係合して係止爪５７ｄと蓋用係止部５８との再ロックを防止する手段を提供する。
【００４８】
この蓋開閉機構Ｈは、プッシュボタン２９と、係合レバー５７と、シャッター用レバー６０と、シャッター６５等を有する樹脂製部材であり、各部材を図１５等に示す。
【００４９】
前記プッシュボタン２９は、本体部２９ａと、本体部２９ａの左右方向に伸びる鍔部２９ｂを有する平面視矩形状で、縦断面ハット状の部材であり、左右の鍔部２９ｂの中央には、それぞれ開口２９ｃが設けられる。この開口２９ｃは、蓋体１２から立設する軸５５（図１２参照）に図示しないバネを介して嵌合しており、嵌合後はそのバネにより常に上動されている。そして、その上動はストッパ５５ａ（図１２参照）で制限されている。
【００５０】
前記係合レバー５７は、押圧部５７ａと、支持部５７ｂとを有する縦断面かぎ括弧状の部材であり、その直角に折れ曲がる部分に軸受部５７ｃを有する。この軸受部５７ｃは、蓋体１２に水平状態で取付けられる水平軸５９（図９参照）に嵌合され、係合レバー５７を回動自在に支持する。また、前記支持部５７ｂの中央部には矩形状開口５７ｅが設けられ、支持部５７ｂの先端には、内方に向って略直角な形状の係止爪５７ｄが形成されている。
【００５１】
炊飯器本体１１の前方側の上面には、蓋用係止部５８（図１１参照）が設けられており、蓋体１２の閉蓋時、前記係止爪５７ｄは、蓋用係止部５８に係合する。係合レバー５７は、第１レバーバネ５７ｆ（図９、１１参照）により反時計方向の力を付与されている。プッシュボタン２９が押し下げられると、係合レバー５７は、水平軸５９を中心にして時計方向に回動し、係止爪５７ｄと蓋用係止部５８との係合を解除する。
【００５２】
前記シャッター用レバー６０は、左右対称の形状を有し、それぞれ押圧部６０ａと棒状部６０ｂとを有する縦断面かぎ括弧状の部材であり、その直角に折れ曲がる部分に軸受部６０ｃを有する。そして、２つの同じ形状の部分は、水平な連結部６０ｄにより連結される。
【００５３】
それぞれの軸受部６０ｃの間には、前記係合レバー５７が嵌入され、前記水平軸５９が嵌合される。また、連結部６０ｄの中央にはバネ支持部６０ｅが設けられ、このバネ支持部６０ｅには、シャッター用レバー６０に対して反時計方向の力を付与する第２レバーバネ６０ｆが設けられる。
【００５４】
その結果、シャッター用レバー６０は、係合レバー５７を間に挟み込む形態となり、係合レバー５７と別々に回動される。そして、プッシュボタン２９が押し下げられると、シャッター用レバー６０は、水平軸５９を中心にして時計方向に回動し、シャッター６５の載置部６５ａａとの当接を解除する。すると、後記するようにシャッター６５が上動してその水平上面６５ｂｂが蓋用係止部５８に嵌合し、係止爪５７ｄと蓋用係止部５８との再ロックを防止する。
【００５５】
前記シャッター６５は、垂直部６５ａと、水平部６５ｂとを有する縦断面略Ｈ字状の部材であり、それぞれの垂直部６５ａの上端部には円弧状の載置部６５ａａが形成され、水平部６５ｂの下面にはバネケース６５ｃが垂下する形態で一体に形成されており、内部にはシャッター用バネ６５ｄ（図９、１１参照）が挿入され、シャッター６５に対して上動する力を付与している。シャッター６５が上動すると、水平部６５ｂの水平上面６５ｂｂは、蓋用係止部５８に嵌合し、係止爪５７ｄと蓋用係止部５８との再ロックを防止する。
【００５６】
そして、蓋体１２の閉蓋時には、図１０に示すように、シャッター６５の載置部６５ａａには、シャッター用レバー６０の棒状部６０ｂが載置して、シャッター６５を下方に押圧している。
【００５７】
なお、図１０及び図１１に示すように、係合レバー５７は、プッシュボタン２９に対してシャッター用レバー６０より大きい隙間ｔを有している。そのため、プッシュボタン２９が押し下げられると、まずシャッター用レバー６０が押され、次いで係合レバー５７が押される。これは、まず、棒状部６０ｂとシャッター６５との当接を解除し、次いで係止爪５７ｄと蓋用係止部５８との係合を解除することにより、シャッター６５の水平上面６５ｂｂが蓋用係止部５８に嵌合しやすくするためである。
【００５８】
即ち、プッシュボタン２９が押し下げられると、まずシャッター用レバー６０が押され、シャッター用レバー６０は、時計方向に回動し、その棒状部６０ｂとシャッター６５の載置部６５ａａとの当接を解除して、シャッター６５の上動を許容する。
【００５９】
この動きに若干遅れて係合レバー５７が押される。すると係合レバー５７は時計方向に回動し、係止爪５７ｄと蓋用係止部５８との係合を解除する。すると、シャッター６５の水平上面６５ｂｂが蓋用係止部５８に素早く嵌合する。その結果、係止爪５７ｄと蓋用係止部５８との再ロックが防止される。
【００６０】
プッシュボタン２９の押圧が解除されると、まずシャッター用レバー６０が第２レバーバネ６０ｆにより反時計方向に回動される。するとシャッター用レバー６０の棒状部６０ｂはシャッター６５を押し下げ、シャッター６５と蓋用係止部５８との係合を解除する。若干遅れて係合レバー５７が第１レバーバネ５７ｆにより反時計方向に回動される。すると係止爪５７ｄが蓋用係止部５８に嵌合して、蓋体１２が閉蓋される。
【００６１】
このように、蓋開閉機構Ｈを樹脂部品で構成したので、金属製に比べて組み込み時の精度を出しやすくなり、各部品のばらつきも小さくなる。また、係合レバー５７とシャッター用レバー６０を分けて構成することにより、蓋体１２を閉める動作時、シャッター６５は係合レバー５７を押さないため係合レバー５７の動きが滑らかになる。
【００６２】
また、係合レバー５７とシャッター用レバー６０を分けて構成することにより、蓋体１２の閉蓋時、シャッター６５は係合レバー５７を押さないため、蓋開時の係合レバー５７の動きが滑らかになる。
【００６３】
また、係合レバー５７とシャッター用レバー６０とは、水平軸５９を共用するため、小さな空間に両レバーを組み込むことができるとともに、部品点数が低減する。
【００６４】
また、蓋体１２の開蓋時、シャッター６５は、蓋体１２を開く補助付勢力になり、その開放が滑らかになる。
【００６５】
本願発明は、上記実施例の構成に限定されるものではなく、発明の要旨を逸脱しない範囲において適宜設計変更可能であることは勿論である。
【符号の説明】
【００６６】
１０…電気炊飯器                  １１…炊飯器本体
１２…蓋体                        １３…内鍋
１４…内ケース                    １５…外ケース
１６…肩部材                      １７…ヒーター
１８…保温ヒーター                １９…蒸し具
２１…蓋板                        ２２…放熱板
２３…中空部                      ２４…シール材
２５…内蓋                        ２６…筒状体
２７…蒸気口                      ２８…ヒンジ部
２９…プッシュボタン              ２９ａ…本体部
２９ｂ…鍔部                      ２９ｃ…開口
３０…操作パネル                  ３１…操作スイッチボタン
３１ａ…炊飯スイッチボタン        ３１ａａ…炊飯ランプ
３１ｂ…保温・取消スイッチボタン  ３１ｂｂ…保温ランプ
３１ｃ…予約スイッチボタン        ３１ｃｃ…予約ランプ
３１ｄ…時分スイッチボタン        ３１ｅ…メニュースイッチボタン
３２…液晶表示部                  ３３…調理時間
３４…マイコン基板                ３５…窪み
３６…磁石                        ４０…パネル部材
４０ａ…透明樹脂                  ４０ｂ…シート
４０ｃ…不透明樹脂                ４１…内部空間
４２…第２スイッチボタン          ４２ａ…第２炊飯スイッチボタン
４２ｂ…保温・取消スイッチボタン  ４２ｃ…第２予約スイッチボタン
４３，４４，４５…貫通穴          ４６…矩形状穴
４７…回転軸                      ４８…軸受部
４９…磁石                        ５０…取手用凹部
５１…シャモジ立て                ５１ａ…本体部
５１ｂ…差込部                    ５１ｃ…ビス穴
５２…開孔                        Ｈ…蓋開閉機構
５５…軸                          ５５ａ…ストッパ
５７…係合レバー                  ５７ａ…押圧部
５７ｂ…支持部                    ５７ｃ…軸受部
５７ｄ…係止爪                    ５７ｅ…矩形状開口
５７ｆ…第１レバーバネ            ５８…蓋用係止部
５９…水平軸                      ６０…シャッター用レバー
６０ａ…押圧部                    ６０ｂ…棒状部
６０ｃ…軸受部                    ６０ｄ…連結部
６０ｅ…バネ支持部                ６０ｆ…第２レバーバネ
６５…シャッター                  ６５ａ…垂直部
６５ａａ…載置部                  ６５ｂ…水平部
６５ｂｂ…水平上面                ６５ｃ…バネケース
６５ｄ…シャッター用バネ
【図１】
0005867100.tif 000002
【図２】
0005867100.tif 000003
【図３】
0005867100.tif 000004
【図４】
0005867100.tif 000005
【図５】
0005867100.tif 000006
【図６】
0005867100.tif 000007
【図７】
0005867100.tif 000008
【図８】
0005867100.tif 000009
【図９】
0005867100.tif 000010
【図１０】
0005867100.tif 000011
【図１１】
0005867100.tif 000012
【図１２】
0005867100.tif 000013
【図１３】
0005867100.tif 000014
【図１４】
0005867100.tif 000015
【図１５】
0005867100.tif 000016
【図１６】
0005867100.tif 000017